(57)【要約】【課題】肌の状態を健康的な状態に維持できるようにすること。【解決手段】送風ポンプ３が吸引口１から吐出口２へ空気を送風し、その空気は紫外線ランプ５により紫外線照射を受けた光触媒４によって改質され、励起した酸素を含有する空気が吐出口２から吐出される。この吐出される空気を人体が吸入すると人体の自律神経系が安静化し、表皮の代謝活動が活発化するので、吸引を止めた後も肌が健康的な状態に維持される。【選択図】図１
2006102197.tif 000002
【特許請求の範囲】
【請求項１】
空気を吸引する吸引口と、空気を吐出する吐出口と、前記吸引口と前記吐出口とを連通する空気経路と、該空気経路内に設けられ少なくとも光触媒による空気改質手段とを備え、
前記吐出口から吐出される空気を人体が吸引することを特徴とする表皮代謝促進装置。
【請求項２】
空気を吸引する吸引口と、空気を吐出する吐出口と、前記吸引口と前記吐出口とを連通する空気経路と、該空気経路内に設けられ少なくとも光触媒による空気改質手段とを備え、
前記吐出口から吐出される空気を肌に直接照射することを特徴とする表皮代謝促進装置。
【請求項３】
空気を吸引する吸引口と、空気を吐出する吐出口と、前記吸引口と前記吐出口とを連通する空気経路と、該空気経路内に設けられ少なくとも光触媒による空気改質手段と、脱臭装置とを備え、前記吐出口から吐出される空気を人体が吸引することを特徴とする表皮代謝促進装置。
【請求項４】
空気を吸引する吸引口と、空気を吐出する吐出口と、前記吸引口と前記吐出口とを連通する空気経路と、該空気経路内に設けられ少なくとも光触媒による空気改質手段と、脱臭装置とを備え、前記吐出口から吐出される空気を肌に直接照射することを特徴とする表皮代謝促進装置。
【請求項５】
空気を吸引する吸引口と、空気を吐出する吐出口と、前記吸引口と前記吐出口とを連通する空気経路と、該空気経路内に設けられ少なくとも光触媒による空気改質手段と、加湿装置とを備え、前記吐出口から吐出される空気を人体が吸引することを特徴とする表皮代謝促進装置。
【請求項６】
空気を吸引する吸引口と、空気を吐出する吐出口と、前記吸引口と前記吐出口とを連通する空気経路と、該空気経路内に設けられ少なくとも光触媒による空気改質手段と、加湿装置とを備え、前記吐出口から吐出される空気を肌に直接照射することを特徴とする表皮代謝促進装置。
【請求項７】
光触媒の触媒活性化手段が紫外線であることを特徴とする請求項１から６のいずれか１項に記載の表皮代謝促進装置。
【請求項８】
光触媒の触媒活性化手段がコロナ放電であることを特徴とする請求項１から６のいずれか１項に記載の表皮代謝促進装置。
【発明の詳細な説明】
【技術分野】
【０００１】
本発明は、人体の肌の表皮代謝を促進する表皮代謝促進装置に関し、更に詳しくは、経口にて吸引するか或いは直接肌に照射することにより特に光触媒により改質された空気を供給する表皮代謝促進装置に関する。
【背景技術】
【０００２】
従来、人体の肌を健康的に保持するための装置としては、スチームを肌に直接噴霧する方式が知られていた。この従来方式では、スチームを顔などの肌の表皮に直接噴霧して、表皮に水分を与えることにより肌を健康的な状態に保持しようとするものである（特許文献１参照）。
【特許文献１】特許第３１４２８５９号公報
【発明の開示】
【発明が解決しようとする課題】
【０００３】
しかしながら、前記従来の手法では、スチームを直接表皮に噴霧するので表皮の水分含有量は一時的に速やかに向上する一方で、スチーム噴霧後は元の状態に戻りやすく、肌状態の恒常的な健康維持は困難であると言う課題を有していた。
【０００４】
本発明は、前記従来の課題を解決するもので、光触媒によって改質され一部は励起された酸素を含有する空気を人体に供給するか或いは肌に直接照射することにより、人体表皮の代謝活動が活発化し、半恒常的に表皮の健康維持が可能な表皮代謝促進装置を提供することを目的とする。
【課題を解決するための手段】
【０００５】
本発明は、前記従来の手法の課題を解決するものであり、空気吸引口と吐出口の空気経路内に少なくとも光触媒による空気改質手段を設け、吐出口から吐出される改質され一部は励起した酸素を含む空気を人体が経口にて吸引するか乃至は肌に直接照射する構成であることを特徴とする表皮代謝促進装置であって、本装置から供給される改質された酸素を含む空気を人体が経口にて吸引した場合は、人体の自律神経系が安静化し、その結果、表皮の代謝活動が活発化するので、本装置から供給される空気の吸引を止めた後も肌が健康的な状態に維持されることとなる。
【０００６】
また、本装置から供給される改質され一部は励起された酸素を含む空気を肌に直接照射した場合は、改質された酸素が肌に直接的に素早く吸収されることにより表皮の新陳代謝が活発となり肌が改質されるので、従来装置使用時の様な一時的な肌状態の健常化ではなく、装置の使用後にも持続可能な肌状態の健常化を実現する装置が可能となる。
【発明の効果】
【０００７】
本発明の表皮代謝促進装置は、光触媒によって改質され、励起された酸素を含む空気を供給し、人体がその供給ガスを経口にて吸引するか乃至は肌に直接照射することにより、人体の自律神経系が安静化するといういわゆるリラックス効果が得られ、また、肌が直接的に素早く改質された酸素を吸収し、表皮の新陳代謝が活発化して装置の使用後も肌状態が健康的に維持される。
【発明を実施するための最良の形態】
【０００８】
第１の発明は、空気吸引口と吐出口からなり、吸引口と吐出口の空気経路内に少なくとも光触媒による空気改質手段を設け、吐出口から吐出される空気を人体が経口にて吸引する構成であることを特徴とする表皮代謝促進装置であり、本装置が供給する空気を人体が吸引することにより、改質された酸素が人体へのリラックス効果や自律神経系の安静化を生じ、その結果として表皮の代謝が活発化して、装置使用後にも健康な肌状態が維持されることとなる。
【０００９】
第２の発明は、空気吸引口と吐出口からなり、吸引口と吐出口の空気経路内に少なくとも光触媒による空気改質手段を設け、吐出口から吐出される空気を肌に直接照射する構成であることを特徴とする表皮代謝促進装置であり、改質された酸素が肌に直接的に速やかに吸収されることにより肌表皮の新陳代謝が活発となり肌が改質されるので、従来装置使用時の場合のような一時的な肌状態の健常化ではなく、装置の使用後にも持続可能な肌状態の健常化を実現する装置が可能となる。
【００１０】
第３の発明は、空気吸引口と吐出口からなり、吸引口と吐出口の空気経路内に少なくとも光触媒による空気改質手段と脱臭装置とを設け、吐出口から吐出される空気を人体が吸引する構成であることを特徴とする表皮代謝促進装置であり、脱臭装置による空気の無臭化により、空気吸引時の人体へのリラックス効果のみならず脱臭された空気を吸引することによる人体の自律神経系の安静化が生じ、その結果として表皮の代謝が活発化して、装置使用後にも健康な肌状態が維持されることとなる。
【００１１】
第４の発明は、空気吸引口と吐出口からなり、吸引口と吐出口の空気経路内に少なくとも光触媒による空気改質手段と脱臭装置とを設け、吐出口から吐出される空気を肌に直接照射する構成であることを特徴とする表皮代謝促進装置であり、脱臭された空気を肌に照射することにより、不快な空気を人体が吸引することがないので、人体が感じる臭気への不快感に伴う自律神経の乱れがほとんど無く、従って、自律神経の乱れにより生じる肌表皮の新陳代謝の遅延化が防止され、新陳代謝促進がより効果的に行われることになる。
【００１２】
第５の発明は、空気吸引口と吐出口からなり、吸引口と吐出口の空気経路内に少なくとも光触媒による空気改質手段と加湿装置とを設け、吐出口から吐出される空気を人体が吸引する構成であることを特徴とする表皮代謝促進装置であり、加湿装置により湿度調整された空気を吸引することにより、冬季などの空気が乾燥しやすい季節でも不快感を伴うことなく連続して本装置からの空気を吸引することができる。
【００１３】
第６の発明は、空気吸引口と吐出口からなり、吸引口と吐出口の空気経路内に少なくとも光触媒による空気励起手段と加湿装置とを設け、吐出口から吐出される空気を肌に直接照射する構成であることを特徴とする表皮代謝促進装置であり、冬季などの空気がが乾燥しやすい季節でも、乾燥空気の直接照射による肌の乾燥が防止されることとなるので、本装置使用による表皮の改質がより効果的に行われることとなる。
【００１４】
第７の発明は、光触媒を紫外線によって励起するので、励起手段を特に設けない室温での光触媒使用よりも更に効果的に触媒が活性化されることとなる。
【００１５】
第８の発明は、光触媒をコロナ放電によって励起することにより、放電部材としてノコギリ歯状や針状に加工したサス部材などの安価な部材が使用できるので、装置全体として低コスト化が実現する。
【００１６】
以下、本発明の実施例を図面を参照しながら説明する。なお、この実施例によって本発明が限定されるものではない。
【００１７】
（実施例１）
図１は本発明の実施例１における表皮代謝促進装置の構成断面図である。図において、
送風ポンプ３が吸引口１から吐出口２へ空気を送風し、その空気は紫外線ランプ５により紫外線照射を受けた光触媒４によって改質され、励起した酸素を含有する空気が吐出口２から吐出されることとなる。
【００１８】
本実施例における表皮代謝促進装置を用いて人体表皮の代謝活動の変化を測定した。以下にその実験方法について述べる。
【００１９】
温湿度が２５℃×５０％ＲＨに調整された実験室を用意し、被験者をその環境に充分馴染ませた後に実験を開始した。実験では、被験者の前腕部内側のあらかじめマーキングした皮膚測定点の経皮水分喪失量（以下、ＴＥＷＬと略する）を測定した後に（本測定量をＴＥＷＬ初期値とする）、その皮膚測定点に市販のセロハンテープを貼付、剥離し、その２時間後に皮膚測定点のＴＥＷＬを再度測定し（本測定量をＴＥＷＬ比較値とする）、ＴＥＷＬ初期値をＴＥＷＬ比較値で除した値をＴＥＷＬ回復率として計算した。
【００２０】
なお、ＴＥＷＬとは、皮膚の単位面積、単位時間当たりに人体内部から皮膚を通過して蒸散する水分量であり、単位は通常ｇ／（ｍ２×ｈ）を用いる。皮膚の表皮が厚いほど皮膚を通過して人体外部へ蒸散する水分量は少なくなるので、ＴＥＷＬは低い数値となる。また、セロハンテープを皮膚へ貼付、剥離した直後は、セロハンテープにより表皮が剥離され表皮の厚みが薄くなっているので、ＴＥＷＬは高い数値となる。そして、上記の実験の様にセロハンテープ貼付、剥離前後のＴＥＷＬ回復値を測定することにより、皮膚の代謝速度が測定されることとなる。つまり、セロハンテープ貼付、剥離の一定時間後のＴＥＷＬ回復率が１に近いほど、皮膚の新陳代謝が活発で、表皮の代謝活動が促進されていることになる。
【００２１】
本実施の形態では、表皮代謝促進装置の吐出部２から供給される空気の流量を４Ｌ／ｍｉｎに調整し、吐出部２から５ｍｍの位置が被験者の鼻部位となるよう装置を設置した。なお比較実験として光触媒４が無い条件でも同様の実験を行い被験者の皮膚測定点のＴＥＷＬ回復率を測定した。
【００２２】
上述の実験を行った結果、セロハンテープ貼付、剥離２時間後のＴＥＷＬ回復率は０．８４であり、光触媒４が無い比較実験でのＴＥＷＬ回復率は０．７２であった。本結果から、本実施の形態の表皮代謝促進装置から供給される空気を吸引した場合、表皮の代謝速度が向上すること、つまり表皮の代謝が促進され、肌状態が健康に維持されることが確認された。
【００２３】
（実施例２）
実施例１で用いたものと同一の装置を用いて、その装置から吐出される空気を直接肌に照射してＴＥＷＬ回復率を測定した。また比較実験も実施の形態１と同様に光触媒４が無い装置を用意し、その装置から照射される空気を肌に直接してＴＥＷＬ回復率を測定した。
【００２４】
装置からの吐出空気量は実施例１と同じに調整し、また実験条件も実施の形態１と同一にした。
【００２５】
上述の実験を行った結果、セロハンテープ貼付、剥離２時間後のＴＥＷＬ回復率は０．８０であり、光触媒４が無い比較実験でのＴＥＷＬ回復率は０．７３であった。本結果から、本実施の形態の表皮代謝促進装置から供給される空気を直接肌に照射した場合、表皮の代謝速度が向上すること、つまり表皮の代謝が促進され、肌状態が健康に維持されることが確認された。
【００２６】
（実施例３）
図２は本発明の実施例３における表皮代謝促進装置の構成断面図である。図において、送風ポンプ１が吸引口１から吐出口２へ空気を送風し、その空気は紫外線ランプ５により紫外線照射を受けた光触媒４によって含有する酸素が改質された後に脱臭カラム６によって脱臭・無臭化され、ごく一部ではあろうが励起した酸素を含有する無臭の改質された空気が吐出口２から吐出されることとなる。
【００２７】
本実施例における表皮代謝促進装置を用いて人体表皮の代謝活動の変化を測定したので、以下その実験方法について述べる。
【００２８】
温湿度が２５℃×５０％ＲＨに調整された実験室を用意し、被験者をその環境に充分馴染ませた後に実験を開始した。実験では、被験者の上腕部内側のあらかじめマーキングした皮膚測定点のＴＥＷＬを測定した後に（本測定量をＴＥＷＬ初期値とする）、その皮膚測定点に市販のセロハンテープを貼付、剥離し、その２時間後に皮膚測定点のＴＥＷＬを再度測定し（本測定量をＴＥＷＬ比較値とする）、ＴＥＷＬ初期値をＴＥＷＬ比較値で除した値をＴＥＷＬ回復率として計算した。
【００２９】
本実験では、表皮代謝促進装置の吐出部２から供給される空気の流量を４Ｌ／ｍｉｎに調整し、吐出部２から５ｍｍの位置が被験者の鼻部位となるよう装置を設置した。
【００３０】
上述の実験を行った結果、セロハンテープ貼付、剥離２時間後のＴＥＷＬ回復率は０．８６であり、脱臭カラム６が無い実施の形態１におけるＴＥＷＬ回復率０．８０よりも若干にＴＥＷＬ回復率が向上した。本結果から、本実施の形態の表皮代謝促進装置から供給される空気を吸引した場合、表皮の代謝速度が向上すること、つまり表皮の代謝が促進され、肌状態が健康に維持されることが確認された。
【００３１】
（実施例４）
実施例３で用いたものと同一の装置を用いて、その装置から吐出される空気を直接肌に照射してＴＥＷＬ回復率を測定した。また、装置からの吐出空気量は実施例２と同じに調整し、また実験条件も実施例２と同一にした。
【００３２】
上述の実験を行った結果、セロハンテープ貼付、剥離２時間後のＴＥＷＬ回復率は０．８１であり、脱臭カラムが無い実施例２でのＴＥＷＬ回復率よりも若干にＴＥＷＬ回復率が向上した。本結果から、本実施例の表皮代謝促進装置から供給される空気を直接肌に照射した場合、表皮の代謝速度が向上すること、つまり表皮の代謝が促進され、肌状態が健康に維持されることが確認された。
【００３３】
（実施例５）
図３は本発明の実施例３における表皮代謝促進装置の構成断面図である。図において、送風ポンプ１が吸引口１から吐出口２へ空気を送風し、その空気は紫外線ランプ５により紫外線照射を受けた光触媒４によって含有する酸素が改質された後に加湿装置７によって湿度が調整され、励起した酸素を含有し湿度に調整された空気が吐出口２から吐出されることとなる。
【００３４】
本実施例における表皮代謝促進装置を用いて人体表皮の代謝活動の変化を測定したので、以下その実験方法について述べる。
【００３５】
温湿度が２５℃×５０％ＲＨに調整された実験室を用意し、被験者をその環境に充分馴染ませた後に実験を開始した。実験では、被験者の上腕部内側のあらかじめマーキングした皮膚測定点のＴＥＷＬを測定した後に（本測定量をＴＥＷＬ初期値とする）、その皮膚測定点に市販のセロハンテープを貼付、剥離し、その２時間後に皮膚測定点のＴＥＷＬを再度測定し（本測定量をＴＥＷＬ比較値とする）、ＴＥＷＬ初期値をＴＥＷＬ比較値で除した値をＴＥＷＬ回復率として計算した。
【００３６】
本実験では、表皮代謝促進装置の吐出部２から供給される空気の流量を４Ｌ／ｍｉｎに調整し、温湿度が２５℃×６５％ＲＨになるよう加湿装置を図示しない湿度センサーを用いて調整した。また、吐出部２から５ｍｍの位置が被験者の鼻部位となるよう装置を設置した。
【００３７】
上述の実験を行った結果、セロハンテープ貼付、剥離２時間後のＴＥＷＬ回復率は０．８８であり、加湿装置７が無い実施の形態１におけるＴＥＷＬ回復率よりも若干にＴＥＷＬ回復率が向上した。本結果から、本実施の形態の表皮代謝促進装置から供給される空気を吸引した場合、表皮の代謝速度が向上すること、つまり表皮の代謝が促進され、肌状態が健康に維持されることが確認された。
【００３８】
（実施例６）
実施例５で用いたものと同一の装置を用いて、その装置から吐出される空気を直接肌に照射してＴＥＷＬ回復率を測定した。また、装置からの吐出空気量は実施例２、４と同じに調整し、また実験条件も実施例２、４と同一にした。
【００３９】
上述の実験を行った結果、セロハンテープ貼付、剥離２時間後のＴＥＷＬ回復率は０．８２であり、加湿装置７が無い実施の形態２でのＴＥＷＬ回復率よりも若干にＴＥＷＬ回復率が向上した。本結果から、本実施例の表皮代謝促進装置から供給される空気を直接肌に照射した場合、表皮の代謝速度が向上すること、つまり表皮の代謝が促進され、肌状態が健康に維持されることが確認された。
【産業上の利用可能性】
【００４０】
以上のように本発明にかかる表皮代謝促進装置は、装置単体で使用する用途以外にも、空気清浄機やエアコンなどの空気質改善装置に取り付ける用途にも適用できる。
【図面の簡単な説明】
【００４１】
【図１】本発明の実施例１、２における表皮代謝促進装置の構成を示す断面図
【図２】本発明の実施例３、４における表皮代謝促進装置の構成を示す断面図
【図３】本発明の実施例５、６における表皮代謝促進装置の構成を示す断面図
【符号の説明】
【００４２】
１  吸引口
２  吐出口
３  送風ポンプ
４  光触媒
５  紫外線ランプ
６  脱臭カラム
７  加湿装置
【図１】
2006102197.tif 000003
【図２】
2006102197.tif 000004
【図３】
2006102197.tif 000005